(57)【要約】【課題】駐車支援システムにおいて、駐車区画が道路等に対して直角以外の角度で区画されている場合にも、車両を適切に駐車区画に適切に誘導可能なものとする。【解決手段】後方の映像Ｍに重畳して表示される、車両１０の最大舵角による後退により９０°旋回したときの仮想車体位置Ｐ２を表すガイド枠Ｑを、車両１０の最大舵角による後退によって描かれる仮想円弧状軌跡Ｃに沿って所望の角度だけ旋回させるジョイスティック５０および旋回されたガイド枠Ｑを旋回された映像として表示面３１上に適切に表示させる回転処理部４４を備える。【選択図】　　　　　　図１
2004106615.tif 000002
【特許請求の範囲】
【請求項１】
車両の後方を撮像する撮像装置と、該車両の運転者に視認可能に配置された表示装置と、前記撮像装置によって撮像された後方の映像に、該車両の最大舵角による後退により旋回したときの仮想車体位置を表す目標枠を重畳して前記表示装置に表示させるとともに、前記車両の後退状態に応じて前記目標枠を該車両に対して相対的に変化させて前記表示装置に表示させる画像処理装置とを備えた駐車支援システムにおいて、
前記画像処理装置は、前記表示装置に初期的に表示された前記目標枠を、前記車両の最大舵角による後退によって描かれる仮想円弧状軌跡に沿って所望の角度だけ旋回させる目標枠旋回操作手段を備えるとともに、前記目標枠旋回操作手段によって旋回された前記目標枠を、前記後方の映像に重畳して前記表示装置に表示させることを特徴とする駐車支援システム。
【請求項２】
前記画像処理装置は、前記車両の最大舵角状態を検出する舵角センサと、前記車両の後退速度を検出する車速センサと、前記舵角センサによって検出された最大舵角状態および前記車速センサによって検出された後退速度に基づいて、該車両の前記後退状態を求めることを特徴とする請求項１に記載の駐車支援システム。
【請求項３】
前記画像処理装置は、前記後方の映像中における前記車両の車幅延長線を表すガイド線を、前記目標枠とは識別可能に、前記表示装置に表示させることを特徴とする請求項１または２に記載の駐車支援システム。
【発明の詳細な説明】
【０００１】
【発明の属する技術分野】
本発明は、駐車支援システムに関し、詳細には、車両を後退させて駐車する際に、駐車目標等を後方映像とともにモニタに表示させる駐車支援システムの改良に関する。
【０００２】
【従来の技術】
従来より、車両を車庫入れ等する際に車両後方の視界を確保すべく、車両後部等にバックビューカメラを備え、このバックビューカメラによって撮像された車両後方の映像を、車室内の、運転者が見えやすい位置に設けられた表示装置に表示するバックビューモニタリングシステムが普及している。
【０００３】
ここで、バックビューカメラによる撮像開始や表示装置による後方映像の表示開始の切換えは、運転者の恣意に基づいて行えるように、独立したスイッチを用いて行うものの外、変速装置のリバースポジションの選択を検出するバックセンサからの信号に基づいて自動的に行われるものもある。
【０００４】
また、このバックビューモニタリングシステムに用いられている表示装置は、ＧＰＳ等を利用した車両位置情報システム用の位置情報表示装置を兼用しているものも多い。
【０００５】
また、近年は、このバックビューモニタリングシステムをさらに発展させて、後退しての車庫入れの際に、車両を駐車区画に適切に誘導させる表示を行う駐車支援システムが実用化されている。
【０００６】
この駐車支援システムは、例えば、特許文献１に開示されているように、カメラ等の撮像装置によって撮像された車両の後方の映像に、車両の最大舵角による後退により９０°旋回したときの仮想車体位置を表す目標枠を重畳して表示装置に表示させるとともに、車両の後退状態に応じて目標枠を車両に対して相対的に変化させて表示装置に表示させるようにしたものである。
【０００７】
このように目標枠が表示されることによって、運転者は、ステアリングホイールを最大舵角となるように操作して自車を後退させたときに自車が収まると予想される位置を表示装置上で予め把握することができるため、運転者は、目標枠が所望とする駐車区画に一致するまで直進して後退し、両者が一致した時点で、ステアリングホイールを最大舵角で操作しつつ後退することにより、所望とする駐車区画に、適切に車両を後退操車することができる。
【０００８】
【特許文献１】
特開２００１−０５５０９９号公報
【０００９】
【発明が解決しようとする課題】
ところで、上述した従来の駐車支援システムによって表示装置上に表示される目標枠は、自車の現姿勢に対して９０°旋回したときの仮想車体位置であるが、これは、道路や駐車区画までの案内通路に対して駐車区画が直角（道路等が延びる方向と駐車区画に駐車された車両の前後方向とが直角）に配置されていることを前提にしてシステムが構築されているためである。
【００１０】
しかし、駐車区画の全てが、道路等に対して直角となるように区画されているわけではなく、車両の出入れを容易にし、あるいは道路等を含めた占有幅を小さくする等の目的によって、駐車区画が道路等に対して鈍角となるように区画されている場合もある。
【００１１】
そして、このように区画された駐車区画に車両を後退させて誘導する場合は、目標枠と駐車区画とを一致させることができず、上述した従来の駐車支援システムでは対応することができない。
【００１２】
また、駐車区画が道路等に対して鈍角に区画されている場合だけでなく、鋭角に区画されている場合にも同様の問題があり、直角以外の角度で区画されている場合には、上記駐車支援システムを有効に活用して駐車することはできない。
【００１３】
本発明は上記事情に鑑みなされたものであり、駐車区画が道路等に対して直角以外の角度で区画されている場合にも、車両を適切に駐車区画に適切に誘導することができる駐車支援システムを提供することを目的する。
【００１４】
【課題を解決するための手段】
上記課題を解決するため、本発明の請求項１に係る駐車支援システムは、車両の後方を撮像する撮像装置と、該車両の運転者に視認可能に配置された表示装置と、前記撮像装置によって撮像された後方の映像に、該車両の最大舵角による後退により旋回したときの仮想車体位置を表す目標枠を重畳して前記表示装置に表示させるとともに、前記車両の後退状態に応じて前記目標枠を該車両に対して相対的に変化させて前記表示装置に表示させる画像処理装置とを備えた駐車支援システムにおいて、前記画像処理装置は、前記表示装置に初期的に表示された前記目標枠を、前記車両の最大舵角による後退によって描かれる仮想円弧状軌跡に沿って所望の角度だけ旋回させる目標枠旋回操作手段を備えるとともに、前記目標枠旋回操作手段によって旋回された前記目標枠を、前記後方の映像に重畳して前記表示装置に表示させることを特徴とするものである。
【００１５】
ここで、撮像装置としては、ＣＣＤカメラ等種々の公知のものを用いることができる。
【００１６】
また、表示装置としては、ＧＰＳ等を利用した車両位置情報システムの一部として、車両位置情報を表示する位置情報表示装置等既存の表示装置を兼用して適用することもできる。
【００１７】
目標枠とは、文字通り「枠」であるものに限るものではなく、仮想車体位置を表す指標として、少なくとも車幅の輪郭を視認しうる指標であればよく、単純には、車幅の両側端縁を表す２本の平行線でもよい。
【００１８】
車両の後退状態に応じて目標枠を車両に対して相対的に変化させてとは、位置を変化させる（変位させる）だけでなく、車両の後退状況に応じて目標枠の見え方（形状）が変化するため、この形状も変化させることを意味する。
【００１９】
最大舵角とは、直進方向に対する舵角の最大のものを意味し、一般的には内輪側と外輪側とで異なる角度に設定されているが、車両が最小回転半径で旋回するときの舵角として観念的に表現したものである。
【００２０】
目標枠旋回操作手段としては、仮想車体位置を仮想円弧状軌跡に沿って前進させ、あるいは後退させる前進ボタンと後退ボタンとの組合せによるものや前進と後退とを傾斜方向で切換え可能の操作レバー、またはジョイスティック等を適用することができる。
【００２１】
そして、本発明の駐車支援システムは、区画線によって区画された駐車区画に面する案内通路上において、表示装置の表示画面に表示された目標枠が区画線と平行になるように、目標枠旋回操作手段の操作により目標枠を旋回させ、車両を案内通路上に沿って前後方向に直線的に移動させて、表示画面に表示された旋回された目標枠が所望とする駐車区画の幅範囲内に位置したとき、車両の停止状態で操舵輪が目標枠方向に最大舵角となるようにハンドル（ステアリングホイール）を操舵し、この最大舵角状態を保持したまま車両を後退旋回させ、表示画面上で区画線に車両が沿ったとき、ハンドルを中立位置（操舵輪を直進状態）に戻し、この中立位置で直進後退操車することにより、所望の駐車区画内に車両を駐車させる。
【００２２】
また、本発明の請求項２に係る駐車支援システムは、請求項１に係る駐車支援システムにおいて、前記画像処理装置は、前記車両の最大舵角状態を検出する舵角センサと、前記車両の後退速度を検出する車速センサと、前記舵角センサによって検出された最大舵角状態および前記車速センサによって検出された後退速度に基づいて、該車両の前記後退状態を求めることを特徴とする。
【００２３】
また、本発明の請求項３に係る駐車支援システムは、請求項１または２に係る駐車支援システムにおいて、前記画像処理装置は、前記後方の映像中における前記車両の車幅延長線を表すガイド線を、前記目標枠とは識別可能に、前記表示装置に表示させることを特徴とする。
【００２４】
【発明の実施の形態】
以下、本発明に係る駐車支援システムの具体的な実施の形態について、図面を参照して、詳細に説明する。
【００２５】
図１は、本発明の実施形態に係る駐車支援システムの構成を示すブロック図である。
【００２６】
図示の駐車支援システム１００は、図２に示すように車両１０の後上部に設けられて、車両１０の後方の映像Ｍを撮像するバックビューカメラ（撮像装置）２０と、この車両１０の運転者が容易に視認できるように運転席近くの配置されたモニタ（表示装置）３０と、カメラ２０によって撮像された車両後方の映像Ｍに、図３に示すように車両１０の操舵輪の最大舵角による後退により車両１０が現位置Ｐ１から角度α（＝９０°）旋回したときの仮想車体位置Ｐ２を表すガイド枠（目標枠）Ｑ（図４参照）および車両１０の車幅延長線を表すガイド線Ｒを重畳してモニタ３０の表示面３１上に表示させるとともに、車両１０の後退状態に応じてガイド枠Ｑを車両１０に対して相対的に変化させて表示面３１上に表示させる画像処理装置４０とを備えている。
【００２７】
なお、図３においては時計回りに後退したときの仮想車体位置Ｐ２のみを示しているが、この仮想車体位置Ｐ２は、反時計回りに後退したときの位置にも存在し、ガイド枠Ｑは、初期的には時計回り方向および反時計回り方向の両方に表示されるように設定されている。
【００２８】
また、ガイド枠Ｑとガイド線Ｒとは識別可能に表示され、本実施の形態においては、ガイド枠Ｑを実線、ガイド線Ｒを破線でそれぞれ示すが、異なる線色で表示する等容易に識別できるものであれば同一の線種で表示してもよく、その他識別可能であれば如何なる態様の表示であってもよい。
【００２９】
ガイド線Ｒには、車両１０の後端から後方への距離の目安を表す距離目安線Ｔも含まれるが、必ずしも距離目安線Ｔを含むものである必要はない。
【００３０】
さらに、表示面３１上に表示されたガイド枠Ｑを、車両１０の最大舵角による後退によって描かれる仮想円弧状軌跡Ｃに沿って任意の角度βだけ旋回させるジョイスティック５０と、ガイド枠Ｑの表示を切り換える表示切換ＳＷ５５とがモニタ３０と一体的に設けられている。
【００３１】
また、画像処理装置４０には、車両１０の操舵輪が最大舵角で操舵されている状態を検出する最大舵角検出ＳＷ６０と、車両の後退速度を検出する車速センサ７０と、オートマチックトランスミッション（ＡＴ）コントロールユニット８０とが、ボディコントロールモジュール（ＢＣＭ）９０を介して接続されており、最大舵角検出ＳＷ６０からは、操舵輪が最大舵角で操舵されている状態において最大舵角状態を検出した信号が入力され、車速センサ７０からは車両１０の後退速度を示す信号が入力され、ＡＴコントロールユニット８０からは、ＡＴがリバースギヤに切り換えられたことを検出するリバース信号が入力される。
【００３２】
さらに、画像処理装置４０は、モニタ制御出力部４１とガイド表示設定部４２とを備えている。
【００３３】
モニタ制御出力部４１は、ＡＴコントロールユニット８０からリバース信号が入力されたときに車両後方の映像Ｍにガイド枠Ｑおよびガイド線Ｒを重畳してモニタ３０の表示面３１上に表示させる表示制御を行う。
【００３４】
なお、リバース信号は、車室内のＡＴセレクトレバーがリバースポジションにセットされてＡＴユニットがリバースギヤに切り換えられたときに、ＡＴコントロールユニット８０から出力される。
【００３５】
一方、ガイド表示設定部４２は、ＡＴコントロールユニット８０からリバース信号が入力されたときに、車両の現位置Ｐ１から最大舵角で時計回りおよび反時計回りに９０°旋回して後退したときの２つの仮想車体位置Ｐ２をそれぞれ初期位置としたガイド枠Ｑ並びに車両１０の後方に延びる車幅延長線を表すガイド線Ｒを設定するとともに、モニタ３０と一体的に設けられた表示切換ＳＷ５５に入力された切換指示にしたがって、時計回り方向に表示されたガイド枠Ｑおよび反時計回り方向に表示されたガイド枠Ｑのうち一方のみを表示させたまま、他方を消去する初期表示設定部４３と、ジョイスティック５０により角度βだけ旋回して角度補正された位置Ｐ３にガイド枠Ｑを設定する回転処理部４４と、回転処理部４４による旋回処理および車両１０の操舵輪が最大舵角で操舵されている状態で後退したときの後退状態に応じた表示面３１上におけるガイド枠Ｑの形状や位置を変化させる変化処理部４５とを備えている。
【００３６】
なお、初期位置のガイド枠Ｑも、路面上に投影された仮想車体位置Ｐ２に対応したガイド枠Ｑを、車体後上部のカメラ２０によって映像Ｍと同様に俯瞰して見たときの位置関係、形状で表示されるように、初期表示設定されている。
【００３７】
変化処理部４５によるガイド枠Ｑの表示形状および表示位置の変化は、例えば、まず最大舵角検出ＳＷ６０から入力される最大舵角状態を示す信号と車速センサ７０から入力される後退速度とに基づいて、仮想円弧状軌跡Ｃ上における車両１０の位置を算出する。
【００３８】
次に、算出された車両１０の位置と仮想円弧状軌跡Ｃ上のガイド枠Ｑの位置との間の仮想円弧状軌跡Ｃ上における角度を求める。
【００３９】
一方、路面上で仮想円弧状軌跡Ｃに沿ってガイド枠Ｑを移動させたときに、表示面３１上において映るガイド枠Ｑの映像を、車両１０の位置とガイド枠Ｑとの間の仮想円弧状軌跡Ｃ上における角度ごとに予めシミュレーションして変化処理部４５に記憶させておく。
【００４０】
そして、算出された角度に対応したガイド枠Ｑの映像を、変化処理部４５から読み出して表示面３１上に表示させればよい。
【００４１】
もちろん、上述したようなシミュレーションによる映像の記憶を行わずに、算出された仮想円弧状軌跡Ｃ上における車両１０とガイド枠Ｑとの間の角度と、カメラ２０の取付高さに基づいて、ガイド枠Ｑの各輪郭線を俯瞰した角度を逐次算出し、この算出された俯瞰角度および仮想円弧状軌跡Ｃ上における車両１０からの角度に基づき、表示面３１上における表示形状や表示位置を逐次算出してもよい。
【００４２】
なお、変化処理部４５は、ガイド表示設定部４２にリバース信号が入力され、かつ最大舵角検出ＳＷ６０から最大舵角信号が入力されないときは、操舵輪が直進状態にあり直進後退していると判定して、表示面３１上に表示されているガイド枠Ｑの形状および位置を表示面３１に対して変化させない。
【００４３】
したがって、表示面３１上には、車両１０の直進後退状況に応じて変化する車両後方の映像Ｍと、この後退状況に拘わらず変化しないガイド枠Ｑおよびガイド線Ｒとが重畳して表示される。
【００４４】
次に、本実施の形態に係る駐車支援システム１００の作用について、図４〜図１０を参照して、以下に説明する。
【００４５】
図４〜図１０の各（ａ）図は、図示右側に車両の駐車区画Ｓ１〜Ｓ７が案内通路Ｋに対して斜め（案内通路の延在方向に対する交差角度が９０°以外）に並設され、図示左側に案内通路Ｋの仕切り（壁面等）が形成された駐車場を上方から見た平面図である。
【００４６】
なお、矢印Ｆｗは車両前進方向、矢印Ｂｋは車両後退方向をそれぞれ示す。
【００４７】
また、図４〜図１０の各（ｂ）図は、対応する（ａ）図における表示面３１上の表示を示すものである。
【００４８】
まず、図４に示すように、車両１０が案内通路Ｋに直進前進もしくは直進後退で進入して、適当な位置で停止し、図示しないＡＴセレクトレバーをリバースポジションにセットすると、ＡＴコントロールユニット８０からリバース信号がＢＣＭ９０を介して画像処理装置４０に入力される。
【００４９】
リバース信号はまた、図示しないバックビューカメラコントローラに入力され、バックビューカメラコントローラはバックビューカメラ２０を駆動する。
【００５０】
そして、駆動されたバックビューカメラ２０は、車両後方の映像Ｍを連続的に撮像し、この撮像された映像Ｍはモニタ出力制御部４１に入力される。
【００５１】
一方、リバース信号が入力された画像処理装置４０は、内部のガイド表示設定部４２にリバース信号を入力する。
【００５２】
リバース信号が入力されたガイド表示設定部４２は、その初期設定部４３が、車両１０の現位置Ｐ１から、最大舵角で時計回りおよび反時計回りに９０°旋回して後退したときの２つの仮想車体位置Ｐ２をそれぞれ初期位置としたガイド枠Ｑと車両１０の後方に延びる車幅延長線を表すガイド線Ｒとを設定する。
【００５３】
これら設定された２つのガイド枠Ｑおよびガイド線Ｒは、変化処理部４５によって、モニタ３０の表示面３１上において適切な表示形状および表示位置に表示されるように所定の変換処理がなされる。
【００５４】
そして、所定の変換処理がなされたガイド枠Ｑおよびガイド線Ｒは、モニタ制御部４１によって、車両後方の映像Ｍに重畳されて、同図（ｂ）に示すように、モニタ３０の表示面３１上に表示される。
【００５５】
このとき表示面３１上に表示されたガイド枠Ｑの長辺は、駐車区画Ｓ（Ｓ１，Ｓ２，…）が、案内通路Ｋに対して９０°で交差するように並設されている駐車場においては、駐車区画Ｓの区画線Ｌと平行になるため、後退操車の駐車目標となるが、本実施形態のように、案内通路Ｋに対して駐車区画Ｓが斜めに交差するように並設されている駐車場では、駐車目標としての効果が低い。
【００５６】
そこで、本駐車支援システム１００では、駐車目標であるガイド枠Ｑを旋回させて表示させることができるが、この操作に先立って、２つ表示されているガイド枠Ｑのうち一方を消去するため、運転者等は、駐車目標として表示させたい方のガイド枠Ｑの選択を、表示切換ＳＷ５５に入力する。
【００５７】
本実施形態においては、表示面３１上において右側のガイド枠Ｑが選択され、この表示切換ＳＷ５５に入力された選択は、初期表示設定部４３に入力されて、初期表示設定部４３は、この右側のガイド枠Ｑの初期表示設定を残し、他方のガイド枠Ｑの初期表示設定を消去する。
【００５８】
この結果、表示面３１から左側のガイド枠Ｑは消えて、右側のガイド枠Ｑおよびガイド線Ｒが、後方の映像Ｍに重畳した状態で表示される。
【００５９】
次に、運転者等は、ジョイスティック５０を操作して、表示面３０に映った映像Ｍの区画線Ｌにガイド枠Ｑの長辺が平行となるように、この表示面３０上で残った右側のガイド枠Ｑを旋回させる。
【００６０】
ここで、ガイド枠Ｑの旋回軌跡は、平面視である（ａ）図における仮想円弧状軌跡Ｃに沿ったものに規制されている。
【００６１】
また、回転処理部４４が、ジョイスティック５０の操作に応じたガイド枠Ｑに対する旋回の角度βをリアルタイムに算出し、この旋回させた角度βを初期の角度α（＝９０°）から減算する（＝α−β）。
【００６２】
そして、この算出された角度（α−β）が、仮想円弧状軌跡Ｃ上における車両１０の位置とガイド枠Ｑとの間の角度となり、この角度が変化処理部４５に入力され、変化処理部４５は、入力された角度に応じて、表示面３１上におけるガイド枠Ｑの形状および位置を変化させる。
【００６３】
図５は、このようにガイド枠Ｑを旋回させたときの平面視（（ａ）図）および表示面３１上における表示（（ｂ）図）を示す。
【００６４】
ここで、車両１０の初期の停止位置Ｐ１が、適切である場合には、ガイド枠Ｑの長辺が駐車区画Ｓの区画線Ｌに対して平行になるようにガイド枠Ｑを旋回させたとき、ガイド枠Ｑはいずれかの駐車区画Ｓ（図５においては駐車区画Ｓ４）の幅範囲に収まるように表示されるが、初期の停止位置Ｐ１が常に適切位置であるとは限らない。
【００６５】
すなわち、例えば、図６に示すように、初期の停止位置Ｐ１が図４に示した位置Ｐ１よりも後方であった場合には、ガイド枠Ｑの長辺が駐車区画Ｓの区画線Ｌに対して平行になるようにガイド枠Ｑを旋回させても、図７に示すように、ガイド枠Ｑは２つの駐車区画Ｓ（図７においては駐車区画Ｓ４とＳ５）に跨って表示される。
【００６６】
そして、このような２つの駐車区画Ｓに跨って表示されたガイド枠Ｑにしたがって旋回後退した場合、車両１０がガイド枠Ｑの示す位置Ｐ３に到達しても、その後に、駐車区画Ｓ４またはＳ５のいずれか一方の範囲に車両１０を収めるために、運転者はさらに複雑なステアリング操作を行う必要があり、駐車支援システム１００が有効に機能しないことになる。
【００６７】
そこで、このような場合は、運転者は、表示されている旋回後のガイド枠Ｑが単一の駐車区画Ｓの幅範囲に収まるように、車両１０を予め直進後退させればよい。
【００６８】
この直進後退の際には、最大舵角検出ＳＷ６０から最大舵角状態の信号が変化処理部４５に入力されないため、変化処理部４５は、表示面３１上に表示されているガイド枠Ｑおよびガイド線Ｒはいずれも表示面３１に対して固定された位置、形状となり、カメラ２０によって撮像された後方の映像Ｍのみが、直進後退に応じて変化する。
【００６９】
そして、表示されている旋回後のガイド枠Ｑが、例えば図８に示すように、単一の駐車区画Ｓ５の幅範囲に収まる位置で、車両１０を停止させればよい。
【００７０】
なお、旋回後のガイド枠Ｑが、図５に示すように、単一の駐車区画Ｓ４の幅範囲に収まる位置まで、車両１０を直進前進させてもよい。
【００７１】
ただし、このように前進させた場合には、ＡＴコントロールユニット８０からリバース信号が出力されないため、表示面３１には、後方の映像Ｍやガイド枠Ｑが表示されないことになり、運転者はある程度勘に頼って車両１０を移動させる必要があり、この点で、直進後退操車の方が好ましい。
【００７２】
もちろん、このような前進操車中も表示面３１に後方映像Ｍやガイド枠Ｑの表示を維持させるように画像処理装置４０を設定してもよく、表示切換ＳＷ５５に、そのような表示維持を可能にする選択を追加すればよい。
【００７３】
次に図５に示した状態から、運転者は、車両１０が仮想円弧状軌跡Ｃ上に沿って後退するように、操舵輪を左方に最大舵角まで据え切った後に、旋回後退操車する。
【００７４】
このとき、変化処理部４５には、最大舵角検出ＳＷ６０から最大舵角状態を示す信号、および車速センサ７０から後退車速を示す信号が入力される。
【００７５】
変化処理部４５は、入力された最大舵角状態を示す信号と後退速度とに基づいて、仮想円弧状軌跡Ｃ上における車両１０の位置を算出する。
【００７６】
さらに、算出された後退中の車両１０の位置とガイド枠Ｑの位置（Ｐ３）との間の仮想円弧状軌跡Ｃ上における角度をリアルタイムに求める。
【００７７】
そして、このように算出された角度に対応した形状、位置のガイド枠Ｑが、変化処理部４５から読み出され、車両１０の旋回後退位置に対応した形状、位置のガイド枠Ｑがモニタ出力部制御部４１に入力される。
【００７８】
一方、モニタ出力制御部４１には、カメラ２０から、車両後方のリアルタイムの映像Ｍが入力されており、モニタ出力制御部４１は、これらのガイド枠Ｑおよびガイド線Ｒ並びに後方映像Ｍを重畳してモニタ３０に出力し、モニタ３０は、図９（ｂ）に示すように、これらの重畳した映像Ｍ等を表示面３１に表示する。
【００７９】
運転者は、表示面３１上で略リアルタイムに変化する表示を参照しつつ、最大舵角での旋回後退操車を維持する。
【００８０】
この結果、車両１０は、ガイド枠Ｑが設定された位置Ｐ３に到達し（図１０（ａ））、このとき車幅延長線であるガイド線Ｒは、駐車区画Ｓ４の区画線Ｌと略平行にとなり、表示面３１上においても、これらが略平行に表示される。
【００８１】
そして、ガイド線Ｒと区画線Ｌとが表示面３１上において略平行になったことを視認した運転者は、操舵輪を直進状態まで戻し、ガイド線Ｒの一部として表示された距離目安線Ｔと変化する後方映像Ｍとの位置関係を参考にしつつ、直進後退操車することにより、駐車区画Ｓ４に車両１０を適切に駐車させることができる。
【００８２】
なお、操舵輪を直進状態に戻すことによって、最大舵角検出ＳＷ６０からの最大舵角状態を示す信号は停止される。
【００８３】
このように、本実施の形態に係る駐車支援装置１００によれば、駐車区画Ｓが案内通路Ｋに対して９０°以外の角度で設けられている場合にも、適切に駐車支援することができる。
【００８４】
なお、上述した本実施の形態に係る駐車支援システム１００は、表示面３１上に、ガイド枠Ｑだけでなくガイド線Ｒも表示するものとしたが、本発明に係る駐車支援システムは、このような形態に限定されるものではなく、ガイド線Ｒを表示することなく、ガイド枠Ｑのみを後方の映像Ｍに重畳して表示するものであってもよい。
【００８５】
また、ガイド線Ｒはガイド枠Ｑと同時に表示する必要はなく、最初はガイド枠Ｑのみを表示しておき、その後、例えば車両１０が駐車区画Ｓの区画線Ｌに対して略平行に旋回して、運転者が操舵輪を直進状態に戻すことにより、最大舵角検出ＳＷ６０から最大舵角信号が入力されなくなった時点で、ガイド線Ｒを表示するようにしてもよい。
【００８６】
【発明の効果】
以上説明したように、本発明の請求項１に係る駐車支援システムによれば、車両の後退操作時に、表示装置に初期的に表示された目標枠を、運転者等の使用者が、目標枠旋回操作手段を用いて、車両の最大舵角による後退によって描かれる仮想円弧状軌跡に沿って所望の角度だけ旋回させることができ、この旋回された状態の目標枠を表示装置に表示させることができる。
【００８７】
したがって、道路等と駐車区画とが直角以外の角度で交差するように区画されている場合にも、運転者等の使用者は、表示装置に初期的に表示された目標枠と所望とする駐車区画とが平行になるように、目標枠旋回操作手段を操作して目標枠を旋回させ、表示装置上で駐車区画内にこの目標枠あるいは目標枠の延長が入る位置まで車両を真っ直ぐ後退させた後に、最大舵角で後退させることにより、所望とする駐車区画に車両を収め、あるいは所望とする駐車区画の延長上に車両を配置することができる。
【００８８】
そして、所望とする駐車区画の延長上に車両が配置されたときは、その延長上の位置まで車両が後退したときに、表示装置上では、駐車区画と目標枠と自車とが一直線上に配置されて表示されるため、ステアリングホイールを直進状態に戻して直進後退することにより、当該所望とする駐車区画に車両を収めることができる。
【００８９】
また、本発明の請求項２に係る駐車支援システムによれば、舵角センサによって検出された最大舵角状態を示す信号と車速センサによって検出された後退速度とに基づいて、仮想円弧状軌跡上における、最大舵角で後退している車両の現在の位置を、車両の後退状態として算出することができる。
【００９０】
そして、算出された車両の現在位置と目標枠の位置との相対的な位置関係を算出することができ、この算出された相対的な位置関係に基づいて、画像処理装置は、表示装置に表示される目標枠の相対的変化（位置や形状の相対的な変化）を求めることができ、表示装置に変化した状態の目標枠を適切に表示させることができる。
【００９１】
また、本発明の請求項３に係る駐車支援システムによれば、表示装置に表示された目標枠に向かって、運転者が最大舵角状態で車両を後退操車し、車両が目標枠に到達したとき、車両は駐車区画の延長上に位置し、直進後退操車することによって、車両は駐車区画内に適切に収まるが、表示装置に車両の車幅延長線を表すガイド線を表示することによって、運転者は、車両の直進後退状況を把握することができ、駐車区画内に車両が収まるまで適切な駐車支援を行うことができる。
【図面の簡単な説明】
【図１】本発明の一実施形態に係る駐車支援システムの構成を示すブロック図である。
【図２】バックビューカメラ等の配設位置を示す図である。
【図３】最大舵角での旋回後退時の仮想円弧状軌跡Ｃおよび車両の現位置と初期の仮想車体位置との関係を示す図である。
【図４】図１に示した本実施形態に係る駐車支援システムの作用を説明する図（その１）であり、（ａ）は平面図、（ｂ）はモニタの表示面の表示を示す図である。
【図５】本実施形態に係る駐車支援システムの作用を説明する図（その２）であり、（ａ）は平面図、（ｂ）はモニタの表示面の表示を示す図である。
【図６】本実施形態に係る駐車支援システムの作用を説明する図（その３）であり、（ａ）は平面図、（ｂ）はモニタの表示面の表示を示す図である。
【図７】本実施形態に係る駐車支援システムの作用を説明する図（その４）であり、（ａ）は平面図、（ｂ）はモニタの表示面の表示を示す図である。
【図８】本実施形態に係る駐車支援システムの作用を説明する図（その５）であり、（ａ）は平面図、（ｂ）はモニタの表示面の表示を示す図である。
【図９】本実施形態に係る駐車支援システムの作用を説明する図（その６）であり、（ａ）は平面図、（ｂ）はモニタの表示面の表示を示す図である。
【図１０】本実施形態に係る駐車支援システムの作用を説明する図（その７）であり、（ａ）は平面図、（ｂ）はモニタの表示面の表示を示す図である。
【符号の説明】
１０　車両
２０　バックビューカメラ
３０　モニタ
３１　表示面
４０　画像処理装置
４１　モニタ出力制御部
４２　ガイド表示設定部
４３　初期表示設定部
４４　回転処理部
４５　変化処理部
５０　ジョイスティック
５５　表示切換ＳＷ
６０　最大舵角検出ＳＷ
７０　車速センサ
８０　ＡＴコントロールユニット
９０　ＢＣＭ
１００　駐車支援システム
３００，４００　他車
Ｐ１　現位置
Ｐ２　仮想車体位置（初期）
Ｐ３　仮想車体位置（旋回後）
Ｍ　後方の映像
Ｑ　ガイド枠
Ｒ　ガイド線
Ｔ　距離目安線
Ｓ１〜Ｓ７　駐車区画
Ｌ　区画線
Ｋ　案内通路
【図１】
2004106615.tif 000003
【図２】
2004106615.tif 000004
【図３】
2004106615.tif 000005
【図４】
2004106615.tif 000006
【図５】
2004106615.tif 000007
【図６】
2004106615.tif 000008
【図７】
2004106615.tif 000009
【図８】
2004106615.tif 000010
【図９】
2004106615.tif 000011
【図１０】
2004106615.tif 000012